(57)【要約】      （修正有）【課題】夕刻の薄暗い作業現場でも糊付された壁装材の切断位置を誤ることがなく、作業効率を向上させることのできる壁紙糊付機を得る。【解決手段】シート状壁装材の移動経路を構成する複数のローラのうち上部側に配されるローラを保持する上部構体５と、下部側に配される糊付けローラを始めとする複数のローラを保持する下部構体４とを備え、シート状壁装材を糊付機本体１の後面側から引き入れ移動経路に沿って前面側に移動させることにより、下部構体内に配設した糊桶６内の糊液を糊付けローラで壁装材の裏面に連続的に転写する壁紙糊付機において、上部構体の前面側に前記シート状壁装材の幅方向に配された複数のＬＥＤ灯５４を備えたものである。【選択図】図２
0003137622.tif 000002
【実用新案登録請求の範囲】
【請求項１】
シート状壁装材の移動経路を構成する複数のローラのうち上部側に配されるローラを保持する上部構体と、下部側に配される糊付けローラを始めとする複数のローラを保持する下部構体とを備え、シート状壁装材を糊付機本体の後面側から引き入れ前記移動経路に沿って前面側に移動させることにより、下部構体内に配設した糊桶内の糊液を糊付けローラで壁装材の裏面に連続的に転写する壁紙糊付機において、
前記上部構体の前面側に前記シート状壁装材の幅方向に配された複数のＬＥＤ灯を備えたことを特徴とする壁紙糊付機。
【請求項２】
シート状壁装材の移動経路を構成する複数のローラのうち上部側に配されるローラを保持する上部構体と、下部側に配される糊付けローラを始めとする複数のローラを保持する下部構体とを備え、シート状壁装材を糊付機本体の後面側から引き入れ前記移動経路に沿って前面側に移動させることにより、下部構体内に配設した糊桶内の糊液を糊付けローラで壁装材の裏面に連続的に転写する壁紙糊付機において、
前記上部構体の前面側に前記シート状壁装材の幅方向に配された複数のＬＥＤ灯と、
複数のＬＥＤ灯の上方から斜め下方に配された反射板とを備えたことを特徴とする壁紙糊付機。
【請求項３】
シート状壁装材の移動経路を構成する複数のローラのうち上部側に配されるローラを保持する上部構体と、下部側に配される糊付けローラを始めとする複数のローラを保持する下部構体とを備え、シート状壁装材を糊付機本体の後面側から引き入れ前記移動経路に沿って前面側に移動させることにより、下部構体内に配設した糊桶内の糊液を糊付けローラで壁装材の裏面に連続的に転写する壁紙糊付機において、
前記上部構体の前面側に前記シート状壁装材の幅方向に配された複数のＬＥＤ灯と、
前記糊付機本体外部からの誘導磁界による誘導作用によって誘導電流を発生する受電側コイルと、
前記発生した誘導電流を整流して直流として前記複数のＬＥＤ灯に給電する整流手段とを備えたことを特徴とする壁紙糊付機。
【請求項４】
シート状壁装材の移動経路を構成する複数のローラのうち上部側に配されるローラを保持する上部構体と、下部側に配される糊付けローラを始めとする複数のローラを保持する下部構体とを備え、シート状壁装材を糊付機本体の後面側から引き入れ前記移動経路に沿って前面側に移動させることにより、下部構体内に配設した糊桶内の糊液を糊付けローラで壁装材の裏面に連続的に転写する壁紙糊付機において、
前記上部構体の前面側に前記シート状壁装材の幅方向に配された複数のＬＥＤ灯と、
前記糊付機本体外部からの誘導磁界による誘導作用によって誘導電流を発生する受電側コイルと、
前記発生した誘導電流を整流して直流として前記複数のＬＥＤ灯に給電する整流手段とを備え、
前記受電側コイルと、前記整流手段と、前記受電側コイルから整流手段を介して前記複数のＬＥＤ灯に至る給電経路とを耐水及び電気絶縁性樹脂で覆ったことを特徴とする壁紙糊付機。
【請求項５】
シート状壁装材の移動経路を構成する複数のローラのうち上部側に配されるローラを保持する上部構体と、下部側に配される糊付けローラを始めとする複数のローラを保持する下部構体と、前記糊付けローラを駆動する駆動源を搭載したコントローラを備え、シート状壁装材を糊付機本体の後面側から引き入れ前記移動経路に沿って前面側に移動させることにより、下部構体内に配設した糊桶内の糊液を糊付けローラで壁装材の裏面に連続的に転写する自動壁紙糊付機において、
前記上部構体の前面側に前記シート状壁装材の幅方向に配された複数のＬＥＤ灯と、
前記コントローラの糊付機本体側の壁面に設けられた外部電源から高周波電源が供給される給電側コイルと、
該給電側コイルからの誘導磁界による誘導作用によって誘導電流を発生する前記給電側コイルに対向した糊付機本体に設けられた受電側コイルと、
前記発生した誘導電流を整流して直流として前記複数のＬＥＤ灯に給電する整流手段とを備えたことを特徴とする自動壁紙糊付機。
【請求項６】
シート状壁装材の移動経路を構成する複数のローラのうち上部側に配されるローラを保持する上部構体と、下部側に配される糊付けローラを始めとする複数のローラを保持する下部構体とを備え、シート状壁装材を糊付機本体の後面側から引き入れ前記移動経路に沿って前面側に移動させることにより、下部構体内に配設した糊桶内の糊液を糊付けローラで壁装材の裏面に連続的に転写する壁紙糊付機において、
前記上部構体の前面側に前記シート状壁装材の幅方向に配された複数のＬＥＤ灯と、
前記コントローラの糊付機本体側の壁面に設けられた外部電源から高周波電源が供給される給電側コイルと、
該給電側コイルからの誘導磁界による誘導作用によって誘導電流を発生する前記給電側コイルに対向した糊付機本体に設けられた受電側コイルと、
前記発生した誘導電流を整流して直流として前記複数のＬＥＤ灯に給電する整流手段とを備え、
前記受電側コイルと、前記整流手段と、前記受電側コイルから整流手段を介して前記複数のＬＥＤ灯に至る給電経路とを耐水及び電気絶縁性樹脂で覆ったことを特徴とする自動壁紙糊付機。
【考案の詳細な説明】
【技術分野】
【０００１】
本考案は、室内壁面等に貼付されるシート状壁装材の裏面に連続的に糊を塗布する壁紙糊付機に関するものである。
【背景技術】
【０００２】
現在、建築物の内装施工における壁装材の室内壁面への貼付は、現場で専用の壁紙糊付機を用いてシート状の壁装材（以下、クロスとも記す）に連続的に糊を塗布しながら行うのが一般的となっている。
【０００３】
一般的な壁紙糊付機としては、互いに接続された上部構体と下部構体のそれぞれに配設した複数のローラによってクロスを上部構体と下部構体との間に後面から前面に引き入れ、各種ローラによりクロスを所定の経路に沿って移動させながら、下部構体内の糊桶内の糊をクロスの裏面に連続的に転写するものが提案されており（例えば、特許文献１参照）、種々の壁紙糊付機が既に市販されている。
【０００４】
より一般的な構成としては、ロール状に巻かれたクロスを懸架する台と糊付け後のクロスを受けるクロス受けとの間に糊桶を備えた下部構体と上部構体とを配置し、内部に複数のローラが配置された上部構体及び下部構体から構成される糊付機本体を支持脚部上に載置し、上下構体の間に挟み込んだクロスをローラで搬送しながら、下部構体の糊桶から糊をローラで糊上げ、クロス裏面に糊を転写塗布していくものである。
【０００５】
具体的には、下部構体上に原反ロールから繰り出したクロスを先端部が本体前方に垂れる状態で載置して上部構体を閉じて下部構体と上部構体の所定ローラ間にクロスを挟み込んだ状態にしておき、クロス裏面に糊を転写塗布していく。
【０００６】
このような壁紙糊付機には手動式と自動式とがある。即ち、手動式装置では作業者がクロス先端を持って前方へ引っ張ることにより、クロスを上下で挟んでいるローラの一部を追従回転させると共に他のローラをギアを介して連動回転させてクロスを糊付機本体の後方から前方へ搬送させながら、途中で糊桶内の糊をその回転によって引き上げているローラの頂点上で、このローラから糊が裏面に転写され、糊塗布済み状態で前方から送り出されてくる。また、自動式装置では、所定のローラの軸を電動モータ等の駆動源に連結して回転させることによって、他のローラもギアを介して連動回転するものである。
【０００７】
このような壁紙糊付機の具体的な挙動を、自動壁紙糊付機を例に説明する。図５は従来の自動壁紙糊付機の内部構成を示す説明図である。図に示す通り、糊付機本体１０１を構成する上部構体１０５及び下部構体１０４内には、複数のローラが配列されており、下部構体１０４内には、糊を収容している糊桶１０６が備えられている。
【０００８】
上部構体１０５内には、クロスを糊付機本体内に後部側から取り込むためのピンチローラを構成する上ピンチローラ１５１と、クロスＣに糊付機本体の前部方向への送り出し張力を付与するためのドライブローラ１５３と、これら上ピンチローラ１５１とドライブローラ１５３との間でクロスを上から押さえてクロスの移動に追従回転する押さえローラ１５２とが、互いに所定間隔で平行に配列されるように、それぞれ上部構体１０５の側板に軸支されている。
【０００９】
また、下部構体１０４内には、前記上ピンチローラ１５１と対になってピンチローラを構成する下ピンチローラ１４２と、糊液をクロス裏面に塗布する糊付けローラ１４１と、糊付けローラに接して糊量を調節するドクターローラ１４４と、前記ドライブローラ１５３と共にクロスに適度な張力を与えて前部方向へ送り出す均しローラ１４３とが、互いに所定間隔を持って平行に配列されるように、下部構体１０４の側板に軸支されている。また糊上げローラ１６１は、糊桶１０６の内部両側面に軸支されて糊桶１０６内の糊液を糊付けローラ１４１に転写する。
【００１０】
通常、これら複数のローラの内、下部構体１０４内に配列されたものは全てギアを介して連動するものである。一方、上部構体１０５内に配列されたものは、ドライブローラ１５３がギアを介して下部構体１０４のギア系と連動するものであり、上ピンチローラ１５１および押さえローラ１５２は、他のローラの回転駆動によって後方から前方へ搬送されていくクロスに当接して表面摩擦によって追従回転するものである。
【００１１】
このような構成の壁紙糊付機を用いた糊付け作業においては、まず、下部構体１０４に対して上部構体１０５を開いた状態とし、糊付機本体１０１の後方に軸支されているクロス原反ＲからクロスＣの先端を引き出し、２つのテンションバーを経て糊付機本体後部に取付けられたスリッタ１２０を通してから、その先端が本体全面側に垂れるようにクロスを下ピンチローラ１４２，糊付けローラ１４１，均しローラ１４３の上に載せ、上部構体１０５を閉じ、クロスの挟み込み状態を得る。
【００１２】
このようにクロスがセットされた状態において、自動壁紙糊付機の場合は駆動制御装置（図示せず）からの寸動指令によって、寸動量だけ駆動が開始される。この初期駆動によってギアでそれぞれ連結された各ローラが所定の周速比で回転を始めると、糊上げローラ１６１が糊桶内の糊を載せ上げつつ、糊付けローラ１４１へ糊を転写する。糊付けローラ１４１の表面へ転写された糊は、ドクターローラ１４４で所定量に調整されたのち、押さえローラ１５２を経て糊付けローラ１４１の頭頂部に送られてくるクロスの裏面に転写塗布される。
【００１３】
糊付けされたクロスは、その後ドライブローラ１５３と均しローラ１４３とによって張力を与えられた状態で牽引され、均しローラ１４３による糊面の均しが行われつつ本体前面に送り出されてくる。寸動量分のクロス裏面への糊付けが行われたら、装置の駆動が一旦止まり、先端の糊付けされていない不要なクロス部分をカッターで切断して糊付準備を終了する。
【００１４】
この糊付準備終了後、実際に必要なクロス長等の条件設定を駆動制御装置へ入力し、駆動制御装置からの作動命令によってモータによる装置の回転駆動が開始されると、裏面全面に糊付けされたクロスが本体前面から送り出され、所望の長さとなるとモータ駆動が停止する。所望の長さとなったクロスは、作業者によって所定の長さで糊付機本体前面に長手方向に配されたカッターガイドに沿ってカッターで切断され、折り畳まれ、糊付機前面に配置されたトレイＴ上に堆積される。
【特許文献１】実開平６−８１８００号公報
【考案の開示】
【考案が解決しようとする課題】
【００１５】
一方、内装工事現場では、工事完了予定期日に間に合わすために、例えば深夜帯域での工事でも行わざるを得ない状況もある。この場合、夜間照明の入る寸前の夕刻の時間帯では、薄暗い作業環境の中でも糊付作業が行われる。近年では種々の模様を表面に表出したクロスが使用され、実際の室内内壁の寸法よりも若干長めに切断される。
【００１６】
この際、室内内壁に貼着する際に隣接するクロス同士で模様を合わせるため、糊付されるクロスの端部に表れる模様が、他のクロスの端部に表れる模様に合わせて切断される。薄暗い作業環境でのクロスの切断作業は切断位置を誤る虞があった。
【００１７】
本考案は、例えば夕刻の薄暗い作業現場でも糊付されたクロスの切断位置を誤ることがなく、作業効率を向上させることのできる壁紙糊付機を得ることを目的とする。
【課題を解決するための手段】
【００１８】
請求項１に記載された考案に係る壁紙糊付機は、シート状壁装材の移動経路を構成する複数のローラのうち上部側に配されるローラを保持する上部構体と、下部側に配される糊付けローラを始めとする複数のローラを保持する下部構体とを備え、シート状壁装材を糊付機本体の後面側から引き入れ前記移動経路に沿って前面側に移動させることにより、下部構体内に配設した糊桶内の糊液を糊付けローラで壁装材の裏面に連続的に転写する壁紙糊付機において、
前記上部構体の前面側に前記シート状壁装材の幅方向に配された複数のＬＥＤ灯を備えたことを特徴とするものである。
【００１９】
請求項２に記載された考案に係る壁紙糊付機は、シート状壁装材の移動経路を構成する複数のローラのうち上部側に配されるローラを保持する上部構体と、下部側に配される糊付けローラを始めとする複数のローラを保持する下部構体とを備え、シート状壁装材を糊付機本体の後面側から引き入れ前記移動経路に沿って前面側に移動させることにより、下部構体内に配設した糊桶内の糊液を糊付けローラで壁装材の裏面に連続的に転写する壁紙糊付機において、
前記上部構体の前面側に前記シート状壁装材の幅方向に配された複数のＬＥＤ灯と、
複数のＬＥＤ灯の上方から斜め下方に配された反射板とを備えたことを特徴とするものである。
【００２０】
請求項３に記載された考案に係る壁紙糊付機は、シート状壁装材の移動経路を構成する複数のローラのうち上部側に配されるローラを保持する上部構体と、下部側に配される糊付けローラを始めとする複数のローラを保持する下部構体とを備え、シート状壁装材を糊付機本体の後面側から引き入れ前記移動経路に沿って前面側に移動させることにより、下部構体内に配設した糊桶内の糊液を糊付けローラで壁装材の裏面に連続的に転写する壁紙糊付機において、
前記上部構体の前面側に前記シート状壁装材の幅方向に配された複数のＬＥＤ灯と、
前記糊付機本体外部からの誘導磁界による誘導作用によって誘導電流を発生する受電側コイルと、
前記発生した誘導電流を整流して直流として前記複数のＬＥＤ灯に給電する整流手段とを備えたことを特徴とするものである。
【００２１】
請求項４に記載された考案に係る壁紙糊付機は、シート状壁装材の移動経路を構成する複数のローラのうち上部側に配されるローラを保持する上部構体と、下部側に配される糊付けローラを始めとする複数のローラを保持する下部構体とを備え、シート状壁装材を糊付機本体の後面側から引き入れ前記移動経路に沿って前面側に移動させることにより、下部構体内に配設した糊桶内の糊液を糊付けローラで壁装材の裏面に連続的に転写する壁紙糊付機において、
前記上部構体の前面側に前記シート状壁装材の幅方向に配された複数のＬＥＤ灯と、
前記糊付機本体外部からの誘導磁界による誘導作用によって誘導電流を発生する受電側コイルと、
前記発生した誘導電流を整流して直流として前記複数のＬＥＤ灯に給電する整流手段とを備え、
前記受電側コイルと、前記整流手段と、前記受電側コイルから整流手段を介して前記複数のＬＥＤ灯に至る給電経路とを耐水及び電気絶縁性樹脂で覆ったことを特徴とするものである。
【００２２】
請求項５に記載された考案に係る自動壁紙糊付機は、シート状壁装材の移動経路を構成する複数のローラのうち上部側に配されるローラを保持する上部構体と、下部側に配される糊付けローラを始めとする複数のローラを保持する下部構体と、前記糊付けローラを駆動する駆動源を搭載したコントローラを備え、シート状壁装材を糊付機本体の後面側から引き入れ前記移動経路に沿って前面側に移動させることにより、下部構体内に配設した糊桶内の糊液を糊付けローラで壁装材の裏面に連続的に転写する自動壁紙糊付機において、
前記上部構体の前面側に前記シート状壁装材の幅方向に配された複数のＬＥＤ灯と、
前記コントローラの糊付機本体側の壁面に設けられた外部電源から高周波電源が供給される給電側コイルと、
該給電側コイルからの誘導磁界による誘導作用によって誘導電流を発生する前記給電側コイルに対向した糊付機本体に設けられた受電側コイルと、
前記発生した誘導電流を整流して直流として前記複数のＬＥＤ灯に給電する整流手段とを備えたことを特徴とするものである。
【００２３】
請求項６に記載された考案に係る自動壁紙糊付機は、シート状壁装材の移動経路を構成する複数のローラのうち上部側に配されるローラを保持する上部構体と、下部側に配される糊付けローラを始めとする複数のローラを保持する下部構体とを備え、シート状壁装材を糊付機本体の後面側から引き入れ前記移動経路に沿って前面側に移動させることにより、下部構体内に配設した糊桶内の糊液を糊付けローラで壁装材の裏面に連続的に転写する壁紙糊付機において、
前記上部構体の前面側に前記シート状壁装材の幅方向に配された複数のＬＥＤ灯と、
前記コントローラの糊付機本体側の壁面に設けられた外部電源から高周波電源が供給される給電側コイルと、
該給電側コイルからの誘導磁界による誘導作用によって誘導電流を発生する前記給電側コイルに対向した糊付機本体に設けられた受電側コイルと、
前記発生した誘導電流を整流して直流として前記複数のＬＥＤ灯に給電する整流手段とを備え、
前記受電側コイルと、前記整流手段と、前記受電側コイルから整流手段を介して前記複数のＬＥＤ灯に至る給電経路とを耐水及び電気絶縁性樹脂で覆ったことを特徴とするものである。
【考案の効果】
【００２４】
本考案は、薄暗い作業現場でも糊付されたクロスの切断位置を誤ることがない。また、別の考案では、作業者に直接ＬＥＤ灯の光を受けさせず、作業効率を向上させることができる。更に、別の考案では、ＬＥＤ灯への給電を糊付機本体に露出する端子で行わないため、短絡の心配がなく、糊付作業後の水洗浄作業が容易に行うことができ、作業効率を向上させることができる。また、別の考案では、ＬＥＤ灯への給電を糊付作業後の水洗浄作業の際に取り外すコントローラに搭載しているため、作業効率を向上させることができる。
【考案を実施するための最良の形態】
【００２５】
本考案においては、壁紙糊付機の上部構体の前面側にクロスの幅方向に複数のＬＥＤ灯を配したものである。これにより、糊付されたクロスの表面が明るく照らされ、糊付機本体前面に長手方向に配されたカッターガイド位置も明確に把握できるために、薄暗い作業現場でもクロス表面の模様が明確に判り切断位置を誤ることがない。
【００２６】
本考案におけるＬＥＤ灯としては、数ボルトの電圧で電流が流れた際に発光する発光ダイオードであればよい。発色光はクロスの模様が明確に判るのであれば、赤、緑、オレンジなどでもよいが、白色が好ましく、演色性の優れた白色のＬＥＤが最も好ましい。
【００２７】
ＬＥＤ灯の個数は少なくとも１つであればよいが、クロス幅全体に光が当たるように複数個配する。好ましくはクロス幅方向に均等に複数個、例えば４〜５個配置する。前述の通り、クロスの模様が明確に判り、切断位置を誤ることがないようにするためである。ＬＥＤ灯の取付け場所としては、クロスの模様が明確に判り、切断位置を誤ることがないようにすればよいため、壁紙糊付機の上部構体の前面側であればよい。上部構体は左右の軸受板と前後のステーとの枠構造で構成されており、前ステーに付属させて設ければ好適である。好ましくは作業者に直接ＬＥＤ灯の光を受けさせないためにＬＥＤ灯の上部から斜め下方に向けて反射板を設ける構造とすると、反射板で反射した光もクロスを照らす灯りとなる。
【００２８】
ＬＥＤに供給する直流電流は種々の形態で供給可能である。例えば、糊付機本体内に搭載した電池から供給したり、外部の電池から供給したり、作業現場での交流電源を直流に整流して供給することができる。尚、電池は乾電池でも蓄電池でもよい。好ましい態様としては、糊付機本体に設けられた非接触給電装置で得られる。具体的には、糊付機本体外部からの誘導磁界による誘導作用によって誘導電流を発生する受電側コイルと、前記発生した誘導電流を整流して直流として前記複数のＬＥＤ灯に給電する整流手段とを備えればよい。
【００２９】
一方、ＬＥＤ灯自体は、ＬＥＤ素子を透明な樹脂でモールドしているため、耐水性能は高い。また、壁紙糊付機は糊付作業後に糊桶内部や、糊付けローラを始めとする種々のロールなどに付着した糊液を洗浄する。よって、好ましくは、糊付機本体外部からの誘導磁界による誘導作用によって誘導電流を発生する受電側コイルと、前記発生した誘導電流を整流して直流として前記複数のＬＥＤ灯に給電する整流手段とを備え、受電側コイルと、前記整流手段と、前記受電側コイルから整流手段を介して前記複数のＬＥＤ灯に至る給電経路とを耐水及び電気絶縁性樹脂で覆って防水性を高める。
【００３０】
この非接触給電装置でＬＥＤ灯の電力を供給することにより、糊付機本体側には洗浄時に取り外すべき給電系を存在させなくできる。このような非接触による給電とすることにより、糊付作業終了後の洗浄時にも濡れることを気にすることがなく、簡便に糊付作業及び洗浄作業を行うことができる。
【００３１】
また、自動壁紙糊付機であれば、給電系は糊付けローラを駆動する駆動モータを備えたコントローラに集中させており、洗浄時にはコントローラを糊付機本体から取り外して行う。このため、好ましくは、コントローラの糊付機本体側の壁面に設けられた外部電源から高周波電源が供給される給電側コイルと、該給電側コイルからの誘導磁界による誘導作用によって誘導電流を発生する前記給電側コイルに対向した糊付機本体に設けられた受電側コイルと、前記発生した誘導電流を整流して直流として前記複数のＬＥＤ灯に給電する整流手段とを備えることにより、ＬＥＤ灯への給電系の取り付け取り外しが容易となる。
【００３２】
より好ましくは、コントローラの糊付機本体側の壁面に設けられた外部電源から高周波電源が供給される給電側コイルと、該給電側コイルからの誘導磁界による誘導作用によって誘導電流を発生する前記給電側コイルに対向した糊付機本体に設けられた受電側コイルと、前記発生した誘導電流を整流して直流として前記複数のＬＥＤ灯に給電する整流手段とを備え、前記受電側コイルと、前記整流手段と、前記受電側コイルから整流手段を介して前記複数のＬＥＤ灯に至る給電経路とを耐水及び電気絶縁性樹脂で覆うことにより、防水性を高める。
【００３３】
尚、必要に応じて整流された直流電流は同じく樹脂によって覆った蓄電池に充電してもよい。受電側コイルから整流手段及びＬＥＤ灯までの給電線は洗浄によって短絡しないように受電側コイルの基板を始めとしてＬＥＤ灯までの給電経路に、フッ素樹脂、ウレタン樹脂灯を塗工し、防水被膜を形成する。
【実施例】
【００３４】
１．全体構成
図１は本考案の支持構造を備えた自動壁紙糊付機の側方構成を示す説明図である。図２は図１の自動壁紙糊付機本体の側方構成を示す説明図である。図３はＬＥＤ灯への給電機構の概略構成を示す説明図である。図４は図１の自動糊付機本体のコントローラとの構成を示す説明図であり、ａ図は糊付機本体とコントローラとの接続を示す正面図、ｂ図はコントローラの正面図、ｃ図はコントローラの平面図である。
【００３５】
図１に示す通り、自動壁紙糊付機は、糊付機本体１と、この糊付機本体１を載置する台座部２と、糊付機本体１を所定高さで支持するために台座部２の左右両端下部にそれぞれ前後に二本一対で配される前脚３１と後脚３２とで構成される脚部３とからなる。
【００３６】
一対の後脚３２には、クロス受けブラケット３３が回動自在に配されており、クロス受けブラケット３３の先端部には、原反ロールＲの中心に通されたクロス芯棒３４が軸支されている。原反ロールＲから繰り出されるクロスＣは、後脚３２の折り畳み部３５に横架された第１テンションバー３６に当接して糊付機本体の引き込み口での引き込み荷重が与えられる。
【００３７】
糊付機本体１は、糊桶６を主とする下部構体４とその上に開閉可能に載置される上部構体５とによって構成される。各ローラの回転に伴って糊付機本体１の後面側から前方へ搬送されてくるクロス裏面に回転しながら当接して連続的に糊を塗布する糊付けローラ４１は、下部構体４の左右両側壁面の軸支板に、できるだけ糊桶６内に沈む下方位置の配置となるように軸支されている。また、糊桶６内の糊を回転によって掻き上げて糊付けローラ４１に転写する糊上げローラ６１は、糊桶６の両側側面に、中心より後面側寄りの位置で軸支されている。
【００３８】
糊付けローラ４１は、糊付機本体１に着脱自在に取付けられる駆動源である電動モータを備えたコントローラ８（図４参照）の回転軸に連結されている。糊桶６の側板に軸止された糊付けローラ４１の回転軸は、下部構体４に配置される下ピンチローラ４２、ドクターローラ４３、均しローラ４４及び上部構体５に配置されるドライブローラ５３の各々の回転軸とギアを介して連動される。
【００３９】
糊付けローラ４１の回転に伴って、ギアを介して回転運動が伝達された他のローラも回転し、上下部構体間に挟み込まれているクロスＣを後方から前方へ搬送し、その途中で糊付けローラ４１上を搬送される際に糊桶６から引き上げられた糊がクロス裏面に転写塗布される。尚、検尺ローラとして用いられる上ピンチローラ５１と押さえローラ５２とは、ギアを介して糊付けローラ４１とは接続されず遊輪軸であり、後方から前方へ搬送されていくクロスに当接して表面摩擦によって追従回転するものである。
【００４０】
また、糊付機本体１の後面側には、スリッター７を備える。スリッター７は、クロスＣを沿わせて搬送する搬送通路となるガイド面部７１と、このガイド面部７１への上流側とガイド面部７１の下流側にクロス全幅に亘ってガイド面部７１方向へ押圧された状態でガイド面部７１上にテンションをかけるように配置される第２テンションバー７２と、ガイド面部７１の側端部領域に各々回転刃７０とを備えている。
【００４１】
ガイド面部７１は、スリッターの上下に亘って形成され、その下端縁部（即ち、壁装材搬送上流側縁部）と、上端縁部（即ち、壁装材搬送下流側縁部）とは、壁装材Ｃの搬送方向を曲折するための曲面部７３，７４を各々有している。スリッター７の下方（即ち、クロス搬送上流側）の第２テンションバー７２は、第１テンションバー３６と同様にクロスＣの全幅を超える長さの丸棒部材であり、ガイド面部７１の曲面部７３，７４と併せて糊付機本体へ引き込まれるクロスＣに良好なテンションをかけることができる。
【００４２】
２．ＬＥＤ灯及びその給電機構
図２に示す通り、上部構体５は左右一対の軸受板５ａと前後一対のステー５ｃ、ｄの枠構造で構成されている。前ステー５ｃの下部にＬＥＤ取付けステー５５は前ステー５ｃの長手方向に沿って固定されていてもよいし、押し出し成形等で一体にしても良い。ＬＥＤ取付けステー５５には５つのＬＥＤ灯５４が長手方向に対して均等間隔に取付けられ、ＬＥＤ灯５４の上方から斜め下方にかけて反射板５６が形成されている。
【００４３】
本実施例の自動壁紙糊付機では、ＬＥＤ灯５４への給電は非接触給電装置で行われる。図３及び図４に示す通り、コントローラ８側の下部構体面に受電側コイル４５が設けられ、整流手段４６を介して、各ＬＥＤ灯５４に給電する給電線４７が配されている。尚、受電側コイル４５、整流手段４６、各ＬＥＤ灯５４及び給電線４７は樹脂モールドされており、糊付機の水洗浄にも耐える構成となっている。
【００４４】
受電側コイル４５に対向したコントローラ８には、給電側コイル８５が設置されており、この給電側コイル８５に高周波電流を供給する高周波発信手段８１を更に備える。この高周波発信手段８１からの高周波電流を給電側コイル８５に流して磁束を発生させ、給電側コイル８５に対向した位置に設けた受電側コイル４５で誘導電流を発生させる。受電側コイル４５で発生した誘導電流を整流手段４６で直流電流として、ＬＥＤ灯５４に供給する。
【００４５】
以上のように、非接触給電装置でＬＥＤ灯の電力を供給することにより、糊付機本体側には洗浄時に取り外すべき給電系を存在させなくできる。このような非接触による給電とすることにより、糊付作業終了後の洗浄時にも濡れることを気にすることがなく、簡便に糊付作業及び洗浄作業を行うことができる。
【図面の簡単な説明】
【００４６】
【図１】本考案の支持構造を備えた自動壁紙糊付機の側方構成を示す説明図である。
【図２】図１の自動壁紙糊付機本体の側方構成を示す説明図である。
【図３】ＬＥＤ灯への給電機構の概略構成を示す説明図である。
【図４】図１の自動糊付機本体のコントローラとの構成を示す説明図であり、ａ図は糊付機本体とコントローラとの接続を示す正面図、ｂ図はコントローラの正面図、ｃ図はコントローラの平面図である。
【図５】従来の自動壁紙糊付機の内部構成を示す説明図である。
【符号の説明】
【００４７】
Ｒ…原反ロール、
Ｃ…クロス、
１…糊付機本体、
２…台座部、
３…脚部、
３１…前脚、
３２…後脚、
３３…クロス受けブラケット、
３４…クロス芯棒、
３５…折り畳み部、
３６…第１テンションバー、
４…下部構体、
４１…糊付けローラ、
４２…下ピンチローラ、
４３…ドクターローラ、
４４…均しローラ、
４５…受電側コイル、
４６…整流手段、
４７…給電線、
５…上部構体、
５１…上ピンチローラ、
５２…押さえローラ、
５３…ドライブローラ、
５４…ＬＥＤ灯、
５５…ＬＥＤ取付けステー、
５６…反射板、
６…糊桶、
６１…糊上げローラ、
７…スリッター、
７１…ガイド面部、
７２…第２テンションバー、
７０…回転刃、
７３…曲面部、
７４…曲面部、
８…コントローラ、
８１…高周波発信手段、
８５…給電側コイル、
【図１】
0003137622.tif 000003
【図２】
0003137622.tif 000004
【図３】
0003137622.tif 000005
【図４】
0003137622.tif 000006
【図５】
0003137622.tif 000007